(57)【特許請求の範囲】
【請求項１】
哺乳類に対して細胞毒性を示す被検対象物の、哺乳類に対する細胞毒性の急性毒性を評価する方法であって、哺乳類に対して神経毒性を示す化合物を除いた被検対象物をカイコに投与して、そのＬＤ５０値を算定し、該カイコの示すＬＤ５０値を、げっ歯類の示すＬＤ５０値の代替値とすることを特徴とする細胞毒性の毒性試験方法。
【請求項２】
１条件当たり５匹以上のカイコを用いる請求項１に記載の細胞毒性の毒性試験方法。
【請求項３】
上記被検対象物をカイコに血液内投与する請求項１又は請求項２に記載の細胞毒性の毒性試験方法。
【請求項４】
上記カイコが５齢のカイコである請求項１ないし請求項３の何れかの請求項に記載の細胞毒性の毒性試験方法。
【発明の詳細な説明】
【技術分野】
【０００１】
本発明は、被検対象物の急性毒性を評価する毒性試験方法に関する。より詳しくは、特定の幼虫を用いて算定されたＬＤ５０（５０％半数致死量）値を用いて評価する、また、特定の幼虫を用いて被検対象物の哺乳類体内における代謝状況から評価する毒性試験方法に関する。
【背景技術】
【０００２】
新たに開発された化学物質や組成物、食品素材等の有用性を評価する際には、それらの人に対する毒性の有無の確認等の安全性の確認が必須の試験項目となっている。従来、それらの確認は、マウスやラット等のげっ歯類を試験動物として、その生体への影響の状況をヒトへの影響に代替する形で行われており、急性毒性の評価値としては、一般的にげっ歯類で求めたＬＤ５０値が用いられている。ＬＤ５０値は被検対象物の生体への急性毒性を最も直接的、実際的に反映した値であると考えられるからである。また、マウス等による試験は被検対象物の体内での代謝状況も同時に確認することができるという利点を有している。
【０００３】
しかしながら、被検対象物のＬＤ５０値やその生体内における代謝状況をより正確に把握するためには多くのげっ歯類個体の犠牲が必要であり、動物の飼育、データ取得のための処置等に膨大なコストや手間が必要となるばかりでなく、倫理的な観点から観ても、げっ歯類を用いてＬＤ５０値等を求めることは社会的な問題となってきている。そのため、げっ歯類による急性毒性試験を、その試験の意義を減ずることなく代替できる方法が求められており、既に多くの取り組みが行われている。
【０００４】
その一つが、動物個体を用いることなく、動物細胞を体外に取り出して培養し、その細胞機能に対する被検対象物の影響を見る方法である（例えば、特許文献１）。この方法は倫理的な問題がないこと、評価系を単純化できること、一度に多くの被検対象物を処理することが可能であること等のメリットを有している。その反面、培養細胞の機能を一定に維持することが難しいこと、被検対象物の体内における消化・吸収・代謝・排泄等に伴って生じる毒性や、逆に生体内では代謝等によって無毒化される場合を評価すること等が難しいという問題点を有している。従って、培養細胞を用いる方法は、げっ歯類による試験を代替できる方法とはなっていない。
【０００５】
また、げっ歯類より倫理的な問題が少ない動物を用いて被検対象物の毒性を評価する方法として、特許文献２には、遺伝子操作によって改変した線虫を、被検試料を含有する培地中で培養し、誘導された酵素活性を測定することによって毒性を試験する方法が記載されている。しかしながら、この方法は、水道水等の自然環境中に存在する重金属等の毒性検出に用いられるものであった。
【０００６】
実験動物としては、キイロショウジョウバエが知られているが、それは約１０日というライフサイクルの短さを利用して、主に被検対象物の変異原性や催奇形性の有無を確認するために用いられているのであって（例えば、非特許文献１）、また、その対象は成虫又はその生活環全体であって、幼虫のみを取り出して急性毒性試験に用いられたことはない。
【０００７】
幼虫を実験動物に使用することについては、例えば、昆虫病原菌の一種であるBacillus thuringinesisの産生するタンパク毒素を有効成分とするＢＴ農薬は、通常、毒性はないが、昆虫の消化管内で消化分解されてはじめて殺虫活性を有するトキシンとなるため、カイコやヤマトシジミの幼虫等に食餌的に与えて、その性能（力価）が評価されている（例えば、非特許文献２）。しかしながら、これまでカイコ等の完全変態型昆虫の幼虫を、代替試験動物として検討し、そのＬＤ５０値を代替値として用いることができるかどうかという試みは行われていない。カイコは、一般的に農薬等の飼育環境に存在する各種の薬物に非常に敏感に反応してしまう動物として知られており、飼育に当たっても餌である桑葉のわずかの農薬の残留にも気を配っている等の現状から、被検対象物の急性毒性をげっ歯類と同様の投与経路で評価した場合に、げっ歯類とは異なったＬＤ５０値を示すだろうとの予測がその根底にあるためと思われる。
【０００８】
また、げっ歯類を急性毒性試験に用いる利点は、前記したようにＬＤ５０値算出と同時に、試験動物から取り出した臓器等の分析によって、被検対象物の体内での代謝状況を確認することが可能であるという点である。しかしながら、このような観点から見て、カイコ等を被検対象物の哺乳類体内における代謝状況を推定するための試験動物として用いることが可能であるかどうかという検討は行われていない。これも、哺乳類と昆虫類との血管系の違い等により、代謝機構が大きく異なるだろうとの予測があるためと考えられる。
【０００９】
一方、本発明者は、従来、カイコの実験動物としての優れた特性に着目して検討を行っており、カイコ等が自然免疫機構のみを有する生物であるにもかかわらず、「マウス等の獲得免疫機構を有する生物に感染する病原微生物」に対して抗菌活性を有する化合物を評価し、スクリーニングする方法に用いることができることを報告している（例えば、特許文献３、４）。しかしながら、これらはあくまでも、病原微生物に対する有用な治療薬のスクリーニングが目的であって、被検対象物の急性毒性を評価する動物として、カイコ等がげっ歯類のＬＤ５０値を代替できるか否か等について検討したものでもなければ、被検対象物の代謝状況を検討したものでもなかった。
【００１０】
従って、げっ歯類による被検対象物の急性毒性を評価するＬＤ５０値算定を代替する方法や被検対象物の体内代謝状況を推定する方法が強く望まれ、その要望が年々強くなっているにもかかわらず、そのような方法が事実上ないのが現状であった。
【００１１】
【特許文献１】特開平８−１６３９９６号公報
【特許文献２】特開平８−１１６９９１号公報
【特許文献３】ＷＯ２００１／０８６２８７号公報
【特許文献４】ＷＯ２００５／１１６２６９号公報
【非特許文献１】衛生化学  ｖｏｌ．３９  Ｎｏ．４  第３３２〜３３５頁（１９９３）
【非特許文献２】日本応用動物昆虫学会誌４８（１）  第１３〜２１頁（２００４）
【発明の開示】
【発明が解決しようとする課題】
【００１２】
本発明は、上記背景技術に鑑みてなされたものであり、その課題は、げっ歯類により算出されている新規薬剤等の急性毒性の指標であるＬＤ５０値と同様の意義を持つＬＤ５０値を算出することが可能であり、コスト的・手間的に遥かに有利であり、倫理的な問題が少ない、ＬＤ５０値算出が可能な毒性試験方法を提供することにある。また、げっ歯類を代替するＬＤ５０値算出が可能となると共に、被検対象物の哺乳類における体内代謝状況を推定することができる毒性試験方法を提供することにある。
【課題を解決するための手段】
【００１３】
本発明者は、上記の課題を解決すべく鋭意検討を重ねた結果、驚くべきことに、カイコで得られたＬＤ５０値は、げっ歯類で報告されている値とほぼ同じの値を示すものが多く認められるという結果が得られ、更に、カイコの場合、哺乳動物の体内動態モデル薬物である７−ヒドロキシ−４−メチルクマリン等を用いて、薬物の体内動態について検討したところ、カイコが哺乳類に類似する薬物代謝機構をもつことが明らかとなった。
【００１４】
そこで、完全変態型昆虫の幼虫を試験動物として用いれば、げっ歯類の示すＬＤ５０値の代替値を得ることが可能で、また、被検対象物の代謝物を分析することによって、哺乳類の体内における代謝状況を推定でき、毒性試験方法に使用できることを見出して、本発明を完成するに至った。
【００１５】
すなわち本発明は、哺乳類に対して細胞毒性を示す被検対象物の、哺乳類に対する急性毒性を評価する方法であって、完全変態型昆虫の幼虫に披検対象物を投与してそのＬＤ５０値を算定することによって行うことを特徴とする毒性試験方法を提供するものである。
【００１６】
また本発明は、哺乳類に対して細胞毒性を示す被検対象物の、哺乳類に対する急性毒性を評価する方法であって、該被検対象物を投与した完全変態型昆虫の幼虫における該被検対象物の代謝状況を測定することによって行うことを特徴とする毒性試験方法を提供するものである。
【００１７】
また本発明は、被検対象物の哺乳動物中における代謝状況を推定する方法であって、完全変態型昆虫の幼虫を、哺乳動物を代替する実験動物として用いることを特徴とする薬物代謝推定方法を提供するものである。
【発明の効果】
【００１８】
本発明によれば、従来、げっ歯類を試験動物とすることで得られている安全性や有用性の評価に欠かせない急性毒性試験の評価値であるＬＤ５０値を、コスト的に遥かに有利で、倫理的な問題点が少ない方法で得ることができ、また、げっ歯類を用いた毒性試験の利点である被検対象物の生体内での代謝予測を行うことも可能な、有用性の高い毒性試験方法と薬物代謝推定方法を提供することができる。
【発明を実施するための最良の形態】
【００１９】
以下、本発明について説明するが、本発明は以下の具体的形態に限定されるものではなく、本発明の技術的範囲内で任意に変形できる。
【００２０】
本発明に用いられる完全変態型昆虫とは、卵、幼虫、蛹、成虫の成長過程を経る昆虫をいう。完全変態型昆虫としては、例えば、鱗翅目（チョウ、ガ等）、双翅目（ハエ等）、膜翅目（ハチ、アリ等）、甲虫目（カブトムシ等）等に属する昆虫が挙げられる。本発明においては、これらの完全変態型昆虫の幼虫が試験動物として用いられる。
【００２１】
かかる幼虫の種類としては特に制限はなく、試験目的に応じて適宜選択することができるが、いもむし形態をしており、注射等による正確な薬物投与、臓器の取り出し、糞の分析を容易とする大きさを有するものが好ましい。ガ、チョウ、カブトムシ等の幼虫はそのような要請に適した大きさを有するものが多い点で好ましい。
【００２２】
更に、かかる幼虫としては、以下の点から、カイコが特に好ましい。
（１）入手が容易である。
（２）飼育する方法が既に確立されており、更に飼育に利便性がある。
（３）ヒト等の哺乳類の内臓・器官と類似する性質が、これまでの研究である程度分かっている。
（４）遺伝系統が確立されており、遺伝的均一性の維持ができている。
（５）比較的大型で、動きが緩慢であり、実質上無毛なので、定量的に注射できる等、薬物の投与が容易であり、血液等の採取も容易である。
（６）脂肪体を有しており、脂肪体を取り出して、含有する物質の定量が可能である。
（７）マウス、ラット等に比べると安価で、狭いスペースで多数の個体を飼育でき、倫理的な問題も少ない。
（８）被検物質が少量しかない場合でも評価を行うことができる。
（９）齢を揃える等、同じ状態の個体を揃えることが容易である。
【００２３】
以上のうち、（５）以降は完全変態型昆虫の幼虫全般にいえる特性となっており、完全変態型昆虫の幼虫が実験動物として優れた特徴を持っていることは明らかである。
【００２４】
完全変態型昆虫は、幼虫時にはイモムシに代表される栄養補給に特化した単純な形態をしており、何回かの脱皮による明確な区切りのある齢期を有している。そのため、齢期を揃えることで、試験に用いる個体の生育状態を正確に揃えることが可能であり、目的に応じて最も適切な齢期を選択することもできる。また動きも緩慢であるため育て易く、薬剤等の注射も容易という試験動物として多くの優れた特徴を持っている。これに対し、カマキリやバッタ等に代表される不完全変態型昆虫は、幼虫の時から注射には適していない成虫と同じ形態をしており、生育状態を揃えることが難しいことや、動きも活発で注射による定量的な投与が難しく、分析に供する血液も少ない等欠点が多く、本発明には使用することができない。
【００２５】
本発明の毒性試験方法や薬物代謝推定方法においては、上記幼虫の大きさや齢数は、幼虫の種類、幼虫の形態、投与方法、用いる器具、試験の目的、操作上の観点、一定したＬＤ５０値を算出可能か否か等の観点から選択されればよく特に限定はないが、被検対象物の投与がし易く、血液、臓器、糞等の採取のし易い大きさを有するものが好ましい。ただし、好ましい大きさは、被検対象物の投与方法や試験の目的等によって異なってくる。例えば、餌に混じて投与する場合には、カイコであれば１齢幼虫の大きさでも投与自体は可能であることから、卵から育てた場合、すぐに試験が開始できるという点で１齢幼虫は好ましい。しかしながら、一定したＬＤ５０値を算出するという観点からは、生育状態の安定していない若齢期の幼虫より、カイコの場合、３齢以上の幼虫を用いることが好ましい。また、注射器等を用いての被検対象物の投与、臓器の取り出し、血液の採取、糞等の分析等の場合にも、３齢以上の幼虫を用いることが好ましい。４齢〜５齢の幼虫がより好ましく、５齢の幼虫が特に好ましい。
【００２６】
試験動物として用いる完全変態型昆虫の幼虫の大きさは特に限定はないが、被検物質の投与、臓器の取り出し、血液の採取、糞等の分析等の容易さの観点から、体長が１ｃｍ以上である幼虫が好ましく、１．５ｃｍ以上１５ｃｍ以下がより好ましく、２ｃｍ以上１０ｃｍ以下が特に好ましい。
【００２７】
被検対象物の投与試料調製方法、投与方法、投与経路等の選択は、げっ歯類の場合と同様に行えばよいが、完全変態型昆虫の幼虫は開放血管系であるため、体液と血液の区別がないため、げっ歯類で静脈内、皮下、腹腔内への投与によりＬＤ５０値を算出している場合は、カイコでは特段の事情がない限り血液内投与で行えばよい。血液内投与は、例えば、第一腹脚部等への注射により行うことができる。また、げっ歯類で強制的な経口投与によりＬＤ５０値が算出されているような場合は、カイコでは腸管内投与によりＬＤ５０値が算出される。また、飼料に混じて投与することもできる。
【００２８】
血液内投与の場合でも腸管内投与の場合でも、被検対象物を溶解又は分散させる媒体としては、対象物が水溶性の場合は、純水、生理食塩水、緩衝液等を、油溶性の場合は、オリーブオイル、ジメチルスルホキシド、ジメチルホルムアミド等を用いることができ、これらは同時に試験の対照としても用いられる。また、飼料に混じて投与することもできる。
【００２９】
被検対象物のＬＤ５０値は、注射器等の器具を用いて血液中や腸管内に投与する場合は、１条件当たり、２〜３０匹を用いることが好ましく、３〜２０匹を用いることがより好ましく、５〜１０匹を用いることが特に好ましい。飼料に混じて投与する場合も、１条件当たり、２〜３０匹を用いることが好ましく、３〜２０匹を用いることがより好ましく、５〜１０匹を用いることが特に好ましい。
【００３０】
注射器等の器具を用いて血液中や腸管内に投与する場合もそうであるが、特に、飼料に混じて投与する場合には、げっ歯類の場合を参考にして、投与用飼料での飼育日数とその後の処置等を設定していく必要がある。例えば、未知の抽出物等の急性毒性を確認する場合には、げっ歯類を試験動物に用いる場合であっても、過去に行った同様の試験結果等を参考にして、試験条件をその都度設定する必要があり、それは本発明の完全変態型昆虫の幼虫を用いた場合でも同様である。
【００３１】
このような場合、どのような検討を行う場合であっても、本発明においては、低コストで倫理的な問題が少ないので、げっ歯類を用いた場合に比べて多くの条件、個体数による検討を行うことができるので、最終的には、再現性に優れたＬＤ５０値の算定条件を設定することができる。
【００３２】
飼料に混じて投与する場合、被検対象物を投与後、通常飼料での飼育を、好ましくは１〜２０日間行った後、より好ましくは１〜１０日間行った後、特に好ましくは１〜３日間行った後、半数のカイコが死亡する濃度をＬＤ５０値とすることが好ましい。
【００３３】
ＬＤ５０値を算定する場合に安定した結果を得るために、好ましくは２５〜３０℃の範囲に、好ましくは２６〜２８℃の範囲に飼育ケージの温度を管理する。完全変態型昆虫の幼虫の飼育ケージでは温度管理が容易であるため、一年を通じて、同じＬＤ５０値を算出することが可能となる。
【００３４】
また、完全変態型昆虫の幼虫でのＬＤ５０値が既に求められているモデル薬剤をコントロールとして、被検対象物のＬＤ５０値と同時にそれらのＬＤ５０値を求めることで、ＬＤ５０値の信頼度を確認することができる。また、ＬＤ５０値の算定に際し、諸条件の及ぼす影響に関し確認することができる。このような確認を、げっ歯類を用いて行う場合は、倫理上の問題を生じるが、本発明法ではそのような問題がないため、これまでは実質的に実施することができなかった「信頼度を確認するような検定試験」等を導入することも可能になる。
【００３５】
本発明の毒性試験方法にカイコを用いる場合には、その品種は特に限定されない。これらは試験の内容に応じて受精卵から育てて用いてもよいし、必要な齢の幼虫を入手して試験を実施してもよい。カイコガの卵やカイコガの幼虫（カイコ）の入手先としては、愛媛蚕種、上田蚕種等がある。
【００３６】
カイコを用いて被検対象物のカイコ体内における代謝状況を測定する場合には、先に述べたように体の大きな５齢幼虫を用いることが好ましい。しかしながら、卵から育てた場合等、より早く試験に供する幼虫を確保したい場合には３齢や４齢幼虫を用いることも可能である。
【００３７】
本発明における被検対象物には、単一化合物に限らず混合物も含まれる。かかる混合物としては特に限定はないが、土壌、食品、抽出物等が挙げられる。
【００３８】
本発明の毒性試験方法に供される被検対象物は、細胞毒性を有するものであることが必須である。細胞毒性を有する被検対象物の場合には、カイコに対してげっ歯類と同様の投与経路で被検対象物投与すると、表１に示すように、カイコで算定されたＬＤ５０値は、げっ歯類で得られたＬＤ５０値と等しい値となっていることが明らかになったからである。従って、カイコ等の完全変態型昆虫の幼虫の示すＬＤ５０値を、げっ歯類の示すＬＤ５０値の代替値とする毒性試験方法が可能である。
【００３９】
【表１】
0005260915.tif 000002
【００４０】
細胞毒性の有無が明確でない被検対象物のＬＤ５０値を算定しようとする場合には、予め、先に記載した培養細胞を用いたｉｎ  ｖｉｔｒｏの毒性試験によって細胞毒性の有無を確認することが好ましい。この場合は試験工程が増えることとなるが、哺乳類を代替して倫理上の問題を回避しつつＬＤ５０値を算出できるという本発明の効果・利点は、試験工程の増加という問題点をはるかに上回っている。
【００４１】
また本発明の毒性試験方法は、げっ歯類による試験を代替するものであるため、明らかに哺乳類と昆虫類間で異なった機構に作用することが判明している物質は、本発明の被検物質から除くことによって本発明の意義を高めることができる。
【００４２】
例えば、シアン化カリウムは、哺乳類ではシアン化物イオンがヘム鉄に配位してヘム鉄の酸素の運搬を助けるという働きを阻害するために強い毒性を示すが、カイコの場合はそのような機構を持たないためＬＤ５０値が異なることが予測できる。実際に得られたＬＤ５０値もげっ歯類の場合に比べて１０倍以上高いものであった（表１）。
【００４３】
また、哺乳類の神経伝達物質受容体に作用する薬剤も、カイコには同様の受容体が存在しない場合が多いため、毒性が弱くなり、より高いＬＤ５０値を与える場合が多いと考えられる。本発明の検討結果においても、哺乳類に神経毒性を示す薬剤を毒性試験対象とした場合、げっ歯類の１０倍以上の用量を投与しても、カイコに対して殺傷効果を示さなかったものが認められた（表２）。
【００４４】
【表２】
0005260915.tif 000003
【００４５】
従って、本発明の「げっ歯類により算定されるＬＤ５０値の代替値を得る」という課題を達成するためには、哺乳類に神経毒性を示すと判断されるものは試験対象から除くことが好ましい。すなわち、哺乳類に対して神経毒性を有すると予想される構造をもつ被検対象物、経験的に神経毒性を有することが知られているもの、あらかじめ哺乳類の神経培養細胞等による予備検定等で神経毒性を有するもの、投与後のカイコの観察から神経毒による影響が推察されるもの等は、本発明の毒性試験方法における被検対象物から除くことが、げっ歯類の示すＬＤ５０値との乖離を小さくできる点で好ましい。すなわち、本発明の毒性試験方法は急性毒性を評価するが、それは神経毒性以外の毒性を反映したものであることが好ましい。
【００４６】
完全変態型昆虫の幼虫としてカイコを採用した場合、被検対象物の代謝状況の測定は、げっ歯類の場合とほぼ同様に行うことができるが、例えば以下のように行われる。まず、血液中の消長は、血液中に被検対象物を注射後、一定時間後に血液を回収して行うことができる。血液の回収は仮足の切断、又は、注射針により体表に傷をつけることにより行うことが好ましい。
【００４７】
図１はその結果を示したものである。図１は哺乳類における薬物の体内動態のモデル薬物として使用されている７−ヒドロキシ−４−メチルクマリンを、５齢幼虫の血液中に注射した場合である。その結果、血中半減期は７分であることが判明し、マウスに静脈注射した場合に報告されている９分とよく一致した結果が得られた。
【００４８】
被検対象物の代謝産物の測定は、先で得られた血液を除タンパク処理し、ＨＰＬＣ等を用いて分析することで行うことができる。図２はＨＰＬＣによる分析結果を示したものである。７−ヒドロキシ−４−メチルクマリンを投与したカイコの血液から、投与物質と異なる１３分の溶出位置にＵＶ吸収ピークが確認された。
【００４９】
この溶出物を更に質量分析にかけて解析した結果、７−ヒドロキシ−４−メチルクマリンと考えられる分子量１７７と、それとは異なる分子量３３９のピークが観察された。両者の分子量の差から後者は前者のグルコース抱合体であると考えられる。これらの化合物は、薬物を投与していないカイコの血液由来のサンプルでは検出されなかった。
【００５０】
そこで更に、７−ヒドロキシ−４−メチルクマリンを投与したカイコの血液のメタノール抽出液をβ−グルコシダーゼで処理したところ、７−ヒドロキシ−４−メチルクマリンの蛍光強度の上昇が認められ、カイコの血中でのグルコース抱合体の存在が検証された。
【００５１】
また、７−ヒドロキシクマリンを投与した場合も、７−ヒドロキシ−４−メチルクマリンと同様にグルコース抱合体の存在が確認された。
【００５２】
このように、完全変態型昆虫の幼虫を用いて、被検対象物の代謝状況を測定することによって、該被検対象物の哺乳類での代謝状況を推定でき、それによって毒性試験が可能である。
【００５３】
従って、本発明の毒性試験方法の他の態様は、哺乳類に対して細胞毒性を示す被検対象物の、哺乳類に対する急性毒性を評価する方法であって、該被検対象物を投与した完全変態型昆虫の幼虫における該被検対象物の代謝状況を測定することによって行うことを特徴とする毒性試験方法である。また、被検対象物の哺乳動物中における代謝状況を推定する方法であって、完全変態型昆虫の幼虫を、哺乳動物を代替する実験動物として用いることを特徴とする薬物代謝推定方法である。
【００５４】
更に好ましくは、該被検対象物の代謝状況の測定を、完全変態型昆虫の幼虫の血液中又は糞中から被検対象物の代謝物を分析することによって行う上記毒性試験方法及び薬物代謝推定方法である。そして、上記「被検対象物の代謝物」としては特に限定はないが、具体的には、上記したように実際にその存在が確認された「被検対象物のグルコース抱合体」が挙げられる。
【００５５】
被検対象物のグルコース抱合反応がカイコ中のどの臓器で行われているかの検証はｉｎ  ｖｉｔｒｏでの組織培養において７−ヒドロキシクマリンを用いた抱合反応の有無の確認により行った。その結果、哺乳類の肝臓に相当する脂肪体の組織培養において抱合反応が検出された（図３）。更に脂肪体における抱合酵素の存在部位を検討した結果、そのミクロソーム画分に抱合活性が存在していることが分かった（表４）。
【００５６】
次に、糞等の排泄物中の代謝物についての測定方法について記載する。鱗翅目昆虫等の完全変態型昆虫の幼虫において、代謝された物質はマルピーギ管を介して糞中に排泄されることが知られている。
【００５７】
そこで、７−エトキシクマリン、その脱エチル化体である７−ヒドロキシクマリンを血液中に投与後に糞を集め、メタノール抽出後にβ−グルコシダーゼ処理を行ったものと行わなかったもの両者の蛍光強度を測定した。その結果、投与された７ヒドロキシクマリンの１３％は蛍光を発する未変化体として、８０％が蛍光を示さないグルコース抱合体として糞中に排泄されることが分かった（表３）。
【００５８】
【表３】
0005260915.tif 000004
【００５９】
【表４】
0005260915.tif 000005
【００６０】
また、投与３時間後にはグルコース抱合された化合物の大部分が糞中に排泄されており、７−ヒドロキシクマリンは速やかにグルコース抱合されて排泄されることが分かった（図４）。
【００６１】
また７−エトキシクマリンについて、糞中への７−ヒドロキシクマリン及び７−ヒドロキシクマリングルコシドとして排泄された割合を、前者はそれ自体の示す蛍光により、後者はグルコシダーゼ処理により初めて示すようになった蛍光を測定することにより定量した。その結果、投与した薬剤の１１％が７−ヒドロキシクマリンとして、４５％が７−ヒドロキシクマリングルコシドとして糞中に排泄されていることが分かった（表３）。更に、７−エトキシクマリンの排泄は２４時間後にも排泄が認められ（図５）。７−エトキシクマリンの血中半減期は６時間であった（図６）。
【００６２】
哺乳類においては、上記７−ヒドロキシクマリンや４−メチル７ヒドロキシクマリンは、グルクロン酸抱合される。カイコの場合、これらは主にグルコース抱合されることが分かった。哺乳類とカイコの抱合反応に用いられる親水性基質の違いがカルボン酸基かアルデヒド基であるかの違いは、薬物動態における性質については、相互が類似していると判断することができる。また、抱合反応は今回初めて哺乳類同様速やかに起こることも明らかとなった。
【００６３】
このような両者の類似性のために、完全変態型昆虫の幼虫を用いても、哺乳類に対する急性毒性を評価することが可能になり、また、哺乳類における薬物代謝状況を推定することが可能になったと考えている。
【００６４】
前記は数種のモデル化合物によって得られた結果であるが、他の被検対象物においても、同様の手法によってその体内動態を解析することができ、哺乳類に対するその毒性に係る体内動態の状況を推定することが可能である。そして、完全変態型昆虫の幼虫における該被検対象物の代謝状況を測定することによって、哺乳類に対する急性毒性を評価すること及び哺乳類における薬物代謝状況を推定することが可能である。
【００６５】
以上の結果から、カイコにおいても、被検対象物のカイコ体内における薬物動態の解析が十分に可能であること、その代謝機構が哺乳類の場合と類似していることが本発明により明らかとなった。従って、カイコにおける薬物動態の解析から、被検対象物の哺乳類における代謝状況を推定することができるものと考えられる。また、カイコ以外の他の完全変態型昆虫の幼虫もカイコと同じ開放血管系と脂肪体を有していること等の共通性から、カイコと同じ薬物代謝機構を有するものと判断することができ、カイコ以外の完全変態型昆虫の幼虫で得られた結果からもカイコ同様に哺乳類における薬物代謝状況を推定することができ、それを用いて哺乳類に対する急性毒性を評価することが可能である。
【実施例】
【００６６】
以下、実施例を挙げて本発明を更に具体的に説明するが、本発明はその要旨を超えない限り、これらの実施例に限定されるものではない。
【００６７】
＜カイコの種類、飼育条件＞
カイコの受精卵（交雑種Ｈｕ・Ｙｏ  ｘ  Ｔｕｋｕｂａ・Ｎｅ）は、愛媛蚕種株式会社から購入した。孵化した幼虫は室温で人工飼料シルクメイト２Ｓ（日本農産工業株式会社製）を与えて５齢幼虫まで育てた。飼育容器は卵から２齢幼虫までを角型２号シャーレ（栄研器材製）、それ以降をディスポーザブルのプラスチック製フードパック（フードパックＦＤ  大深、中央化学株式会社製）を用いた。飼育温度は２７℃とした。
【００６８】
＜被検対象物の投与用試料の調製と投与＞
（１）血液内投与試料の例  
塩化ナトリウム（Sodium  chloride）を生理食塩水にて、５００ｍｇ／ｍＬから５ｍｇ／ｍＬまでの濃度水準で２倍希釈系列の濃度調製し、１濃度１０頭のカイコに０．０５ｍＬずつ腹部から注射により投与した。
（２）腸管内投与試料の例
硫酸第一鉄（ferrous  sulfate）を生理食塩水にて、６００ｍｇ／ｍＬから６ｍｇ／ｍＬまでの濃度水準で２倍希釈系列の濃度調製し、１濃度１０頭のカイコに０．０５ｍＬずつ注射筒を用いて腸管内に投与した。
【００６９】
実施例１
＜カイコによる被検対象物のＬＤ５０値の算出とげっ歯類で得られた値との比較＞
５齢１日目のカイコに、上記の投与方法に従って各被検対象物を投与した後、各カイコを１日間飼育し、１日後に半数が死亡する体重１ｇあたりの投与量（μｇ）をＬＤ５０値とした。値の確定のため、必要に応じて投与濃度を更に変動させて同様の操作を繰り返した。
【００７０】
なお、げっ歯類であるマウス又はラットで、既にＬＤ５０値が算定されている化合物（例えば、Klassen  CD,  Casarette  and  Doulls’toxicology:  The  basic  science  of  poisons.,  5th  ed.,  McGraw-Hill,  New  York(1996)、The  Merck  Index,  An  Encyclopedia  of  Chemicals  Drugs,  and  Biologicals,  (1989)等）に対して試験を実施し、投与経路はげっ歯類で静脈内投与（ｉ．ｖ．）、皮下投与（ｓ．ｃ．）、体腔内投与（ｉ．ｐ．）を行っている場合は、カイコでは血液内投与（ｉ．ｈ．）を行い、げっ歯類で経口投与（ｐ．ｏ．）を行っている場合は腸管内投与（ｉ．ｍ．）を行った。
【００７１】
カイコで得られたＬＤ５０値を、マウスやラットで得られているＬＤ５０値と共に、表１と表２に示す。表１に示す細胞毒性を有する化合物のカイコで得られたＬＤ５０値は、シアン化カリウムの例を除いて、マウス又はラットでのＬＤ５０値の、数分の１から１０倍以内の値となっていた。ＬＤ５０値は、同じげっ歯類同士でも、例えばｍ−クレゾールの場合、マウスで６００ｍｇ／ｋｇ、ラットで２４２ｍｇ／ｋｇ（ただし、表１とは異なる文献に記載の値）というように数倍程度の違いが認められる値である。そのことからすると、今回得られたカイコでのＬＤ５０値とげっ歯類でのＬＤ５０値はほぼ一致していると評価することができる。つまり、細胞毒性を示す被検対象物の場合、カイコ等で求めたＬＤ５０値はげっ歯類のＬＤ５０値を代替し得る値である。
【００７２】
一方、表２に示す哺乳類に対して神経毒性を有する化合物のカイコで得られたＬＤ５０値は、８例中６例でげっ歯類での値の１０倍以上の値を示した。
【００７３】
表１、表２におけるカイコとげっ歯類とでＬＤ５０値に大きな違いを認めた化合物は、前述した通り、哺乳類とカイコ間でその生体機構に明確な相違が存在する部分に対して影響を与える化合物であった。すなわち、シアン化カリウムは、哺乳類の血中にのみ存在するヘムタンパク質の酸素運搬機能を阻害することで毒性を現すので、ヘムタンパク質を持たないカイコでは毒性が弱い。また、ストリキニーネやｄ−ツボクラニンは哺乳類の神経系に作用して神経毒性を示す化合物であるが、カイコではこれらの薬剤のレセプターが存在しない等の理由により毒性が弱くなったと考えられる。
【００７４】
カイコにもグルタミン酸レセプター等、哺乳類と同じ神経伝達物質に対するレセプターが存在するため、哺乳類に対して神経毒性を示す薬剤が全てカイコでは毒性を示さないということにはならないが、哺乳類に対して神経毒性を示す薬剤の多くは、カイコでは急性毒性が弱いことが確認された（表２）。従って、本発明の毒性試験方法においては、評価される急性毒性は、少なくとも哺乳類に対して神経毒性以外の毒性を有しているものである場合には、ＬＤ５０の相関が強く、哺乳類でのＬＤ５０値の代替値として好ましく使用できる。
【００７５】
すなわち、哺乳類に対して神経毒性を示す可能性のある化合物は、本発明の被検対象物から除いた方が好ましいことが分かったが、ここで、神経毒性の有無の確認は、事前に培養細胞に対する影響を確認すること等で行うことができ、例えば、Motor  Neuron-Like  Hybrid  Cell  Line  NSC-34や、Human  Glial  Hybrid  Cell  Line  M03.13（共にコスモ・バイオ株式会社）を用いて行うことができる。
【００７６】
実施例２
被検対象物の毒性試験においては、ＬＤ５０値の算定と共に、被検対象物の体内動態を予測するために、その代謝物の分析を行う必要がある。従って、カイコにおいて行った代謝物の分析結果が哺乳類での結果を代替できるものであるならば、カイコを用いて行う毒性試験方法の有用性が更に増す結果となる。そこで、以下にカイコを用いた被検対象物の代謝物分析の具体例を示すと共に、代謝機構の哺乳類との類似性について検討した。
【００７７】
＜カイコを用いた被検対象物の代謝物分析＞
（１）７−ヒドロキシ−４−メチルクマリンの血中半減期の確認
表１に示す多くの化合物のＬＤ５０値が哺乳動物と一致しているという結果は、カイコにおける薬物の体内動態が哺乳動物と共通した機構によっていることを示唆している。哺乳動物における薬物の体内動態のモデル薬物として使用されている、蛍光物質である７−ヒドロキシ−４−メチルクマリンについて、カイコにおける体内動態を検討した。
【００７８】
まず、５齢カイコに対し、生理食塩水に８ｍｇ／ｍＬの濃度に溶解させた７−ヒドロキシ−４−メチルクマリン溶液０．０５ｍＬを、腹部から血液内注射後、仮足部を切断し、血液をサンプリングして、その蛍光強度を測定することで血中半減期を求めた。その結果、カイコ血液中での７−ヒドロキシ−４−メチルクマリンの半減期は７分であった（図１）。一方、マウスに静脈注射した場合は、７−ヒドロキシ−４−メチルクマリンの血中半減期は９分であった（data not shown）。従って、カイコ血液中の７−ヒドロキシ−４−メチルクマリンの半減期は、マウスにおける結果とよく一致していることが分かった。
【００７９】
（２）７−ヒドロキシ−４−メチルクマリンの代謝における抱合化反応の有無の確認
７−ヒドロキシ−４−メチルクマリンは、哺乳類ではグルクロン酸抱合及び硫酸抱合を受ける。そこでカイコにおいても抱合反応を受けるか否かについて検討した。
【００８０】
まず、５齢カイコに対し、生理食塩水に８ｍｇ／ｍＬの濃度に溶解させた７−ヒドロキシ−４−メチルクマリン溶液０．０５ｍＬを、腹部から血液内注射後、注射直後と２０分後に、血液を回収した。回収した血液を除タンパク処理後、ＨＰＬＣにて解析した。同時に薬剤を投与していないカイコから得た血液にも同様の処置を行いコントロールとした。
【００８１】
図２にその結果を示す。Ａはコントロール、Ｂは薬剤投与直後のもの、Ｃは薬剤投与後２０分のサンプルをロードした場合のチャートである。７−ヒドロキシ−４−メチルクマリンとは異なる１３分の溶出位置にピークが確認された。このピークを質量分析法で解析した結果、投与薬剤と同じ分子量１１７のピークと分子量３３９のピークが検出された。分子量３３９は投与薬剤のグルコース抱合体に相当する分子量である。そこで、薬剤投与後に回収した血液のメタノール抽出サンプルをグルコース脱抱合酵素であるβ−グルコシダーゼ（シグマ社製）処理したところ、７−ヒドロキシ−４−メチルクマリンによる蛍光強度（Ｅｘ：３６８ｎｍ，Ｅｍ：４５６ｎｍ）の上昇が認められた。これらの結果から、７−ヒドロキシ−４−メチルクマリンはカイコの体内でグルコース抱合されることが分かった。同様に７−ヒドロキシクマリンもグルコース抱合されることを確認した。
【００８２】
（３）カイコ体内でグルコース抱合反応を担っている臓器の確認
カイコのどの臓器がグルコース抱合反応を担うかについて、以下のｉｎ  ｖｉｔｒｏでの組織培養によって検討した。カイコから分離した脂肪体、腸管、絹糸腺及びその他の臓器をＴＣ１００培地（日本農産社製）に加えた後、０．１６μｍｏＬの７−ヒドロキシクマリンを加えて３０℃でインキュベートした。各時間において培養液上清をサンプリングし、β−グルコシダーゼで処理後に蛍光強度（Ｅｘ：３６８ｎｍ，Ｅｍ：４５６ｎｍ）を測定した。
【００８３】
得られた結果を図３に示す。脂肪体の組織培養において抱合反応が検出された。また、脂肪体における抱合酵素の存在部位を検討した結果、抱合活性は可溶性画分ではなくミクロソーム画分に存在することが分かった（表４）。哺乳類ではグルクロン酸抱合反応はミクロソーム画分に存在することが知られており、カイコでも同様の結果が得られた。
【００８４】
（４）カイコ糞中の７−ヒドロキシクマリンと７−エトキシクマリン代謝産物の確認
次に、カイコの糞中へ排泄される投与薬剤の代謝産物について検討した。先に記したように鱗翅目昆虫の幼虫では、代謝された物質は昆虫の排泄器官であるマルピーギ管を介して糞中に排泄されることが知られている。そこで、投与した７−エトキシクマリンとその脱エチル化体である７−ヒドロキシクマリンの糞中の代謝産物につき検討を行った。
【００８５】
（４−ａ）７−ヒドロキシクマリン投与時の糞中のグルコース抱合体と未抱合体の確認
カイコの血液中に０．２７５μｍｏＬの７−ヒドロキシクマリンを注射後、経時的に糞を回収し、メタノール抽出後、β−グルコシダーゼ処理を行ったサンプルと行わなかったサンプルの両者の蛍光強度（Ｅｘ：３６８ｎｍ，Ｅｍ：４５６ｎｍ）を測定した。未抱合体の量はβ−グルコシダーゼ処理を行わなかったサンプルの蛍光強度より求めた。
【００８６】
その結果、糞中には投与された７−ヒドロキシクマリンの１３％が未抱合体として、８０％がグルコース抱合体として排泄されることが分かった（表３）。また、投与後３時間でグルコース抱合された化合物の大部分が糞中に排泄されていた（図４）。従って、７−ヒドロキシクマリンは速やかにグルコース抱合されて排泄されることが分かった。
【００８７】
（４−ｂ）７−エトキシクマリン投与時の糞中の７−ヒドロキシクマリンとその７−ヒドロキシクマリングルコース抱合体の確認
操作は（４−ａ）と同様に行い、投与された７−エトキシクマリンの１１％が未抱合体の７−ヒドロキシクマリンとして、４５％がそのグルコース抱合体として排泄されていることが分かった（表３）。従って、７−エトキシクマリンはシトクロームＰ４５０によって脱エトキシ化されて７−ヒドロキシクマリンに変換された後、更に抱合反応によりグルコース抱合体へと代謝されると考えられる。また、７−エトキシクマリンの排泄は７−ヒドロキシクマリンに比べると速度が遅く、２４時間後にも排泄が認められた（図５）。７−エトキシクマリンの血中半減期は６時間であることから（図６）、カイコにおける７−エトキシクマリンの代謝の場合、初段階であるＰ４５０による脱エチル反応が律速段階であり、脱エチル化された後は反応物である７−ヒドロキシクマリンは速やかにグルコース抱合されて排泄されると考えられる（図７）。
【００８８】
以上の実施例により、本発明がげっ歯類を用いて行われている細胞毒性を示す被検対象物の急性毒性試験におけるＬＤ５０値の算定を代替することができ（実施例１）、また、「げっ歯類等を用いる試験のもう一つのメリットである被検対象物の生体内での代謝状況の測定」においても、カイコはげっ歯類を代替し得ることが分かった（実施例２）。
【産業上の利用可能性】
【００８９】
本発明の完全変態型昆虫を用いた毒性試験方法や薬物代謝測定は、コスト上、倫理上等の問題点がないため、細胞毒性を示す被検対象物において、げっ歯類によって行われている急性毒性試験や薬物代謝測定を代替し得るため、単一物質の安全性試験、混合物の安全性試験、薬剤の探索等に広く利用されるものである。
【図面の簡単な説明】
【００９０】
【図１】カイコ血液中における７−ヒドロキシ−４−メチルクマリンの半減期を示すグラフである。
【図２】カイコ血液中における７−ヒドロキシ−４−メチルクマリン代謝産物のＨＰＬＣによる分析結果を示すチャートである。    Ａ：未投与コントロール    Ｂ：７−ヒドロキシ−４−メチルクマリン投与直後    Ｃ：７−ヒドロキシ−４−メチルクマリン投与２０分後
【図３】カイコの各臓器における７−ヒドロキシクマリンのグルコース抱合活性を示すグラフである。
【図４】カイコ糞中における７−ヒドロキシクマリン投与時のグルコース抱合体と未抱合体の排泄状況を示すグラフである。
【図５】カイコ糞中における７−エトキシクマリン投与時のグルコース抱合体と未抱合体の排泄状況を示すグラフである。
【図６】カイコ血液中における７−エトキシクマリンの半減期を示すグラフである。
【図７】７−エトキシクマリンのカイコ体内での代謝機構を示す化学反応式である。
【図１】
0005260915.tif 000006
【図２】
0005260915.tif 000007
【図３】
0005260915.tif 000008
【図４】
0005260915.tif 000009
【図５】
0005260915.tif 000010
【図６】
0005260915.tif 000011
【図７】
0005260915.tif 000012